(57)【特許請求の範囲】
【請求項１】
前進して施錠子の遠心方向への移動を抑止し後退してその抑止を解除するスリーブを操作して、前記施錠子によりソケットとプラグとを着脱自在に接続する管継手であって、ソケット本体の外周に形成した環状溝に、バネを併設した拡径縮径可能な略Ｃ状の弾性体の外周に係止部を突出して設けたストッパを拡径縮径自在に嵌合し、該ストッパにあっては、前記スリーブが前進位置にあるとき弾発力により拡径して後退しようとするスリーブの後端に前記係止部の先端が係止し、且つスリーブの後退時に、ストッパを前記弾発力に抗して縮径させることにより、後退するスリーブの内側に前記係止部を含めて収容されるようになされており、しかも、前記スリーブと異なる着色がなされていることを特徴とする管継手。
【発明の詳細な説明】
【０００１】
【発明の属する技術分野】
本発明は、スリーブを操作してソケットとプラグとを接続させた際に離脱を防止するロック機構を備えた管継手に関する。
【０００２】
【従来の技術】
従来、かかる離脱を防止する手段を講じた管継手として、特開平６−２４９３８１号に開示されたものが知られている。
【０００３】
この管継手は、ロックボールを備えたソケットの外周に、ロックボールを前進して押圧し、後退して解除する第２スリーブが摺動自在に嵌合し、同じくソケットの外周に前記第２スリーブの後退側に位置して、外周に前記第２スリーブの後端に当接するストッパを有する第１スリーブが摺動自在に嵌合し、該第１スリーブのストッパには第１スリーブの摺動方向に凹状の逃げ部が切欠形成されている。更に、ソケットの外周に、第１スリーブの後退側に位置して、筒状のロック部材が回転自在に嵌合しており、このロック部材の先端側には、前記ストッパに係止し且つ逃げ部に嵌合可能なロック片が設けられた構造となっている。
【０００４】
かかる構造の管継手は、非接続時には、第１スリーブの逃げ部にロック部材のロック片を嵌合させることにより、第１スリーブ及び第２スリーブを後退させた状態におく。そして接続時には、第１スリーブと第２スリーブを前進させることにより第２スリーブの内周面でロックボールが押圧され、ソケットとプラグとが接続される。ソケットとプラグを接続したら、前記ロック部材を回転させロック片と第１スリーブの逃げ部との位置をずらしておく。これにより第１スリーブが後退しようとしたとき、第１スリーブのストッパが前記ロック片に当接して後退が阻止され、これにより第２スリーブの後退も阻止される。このようにして接続ｂされたソケットとプラグとを分離する場合には、ロック部材を回転させ、ロック片と第１スリーブの逃げ部とを一致させることにより、第１スリーブの後退阻止を解除して行う。
【０００５】
【発明が解決しようとする課題】
しかしながら、前記構造の管継手によれば、ロック時に第２スリーブとともに前進した第１スリーブの後退を阻止するためには、ロック部材を回転させるといった積極的な操作を必要とする。このため、ロック部材の操作を忘れる場合もあり得る。また、ソケットとプラグとの接続時に、第１スリーブがロック部材によりロック（後退阻止）されているか否かは、ロック部材のロック片の位置を注意して見ないと確認し難い。
【０００６】
また、第１スリーブのロックの解除は、ロック部材を回転させるといった容易な操作で行えるため、誤操作に注意しなければならない。更には、ソケットに、第１スリーブ、第２スリーブとロック部材が嵌合されるため、いきおいソケットの軸方向の長さが長くなり、管継手の小型化を阻害している。
【０００７】
本発明の目的は、前進した施錠子操作用のスリーブを自動的にロックし、操作性の向上が図れる管継手を提供することにある。
本発明の他の目的は、スリーブがロック状態にあるか否かの確認を容易に行えるようにした管継手を提供することにある。
本発明の他の目的は、小型化が図れる管継手を提供することにある。
【０００８】
【課題を解決するための手段】
本発明は、前進して施錠子の遠心方向への移動を抑止し後退してその抑止を解除するスリーブを操作して、前記施錠子によりソケットとプラグとを着脱自在に接続する管継手であって、ソケット本体の外周に形成した環状溝に、バネを併設した拡径縮径可能な略Ｃ状の弾性体の外周に係止部を突出して設けたストッパを拡径縮径自在に嵌合し、該ストッパにあっては、前記スリーブが前進位置にあるとき弾発力により拡径して後退しようとするスリーブの後端に前記係止部の先端が係止し、且つスリーブの後退時に、ストッパを前記弾発力に抗して縮径させることにより、後退するスリーブの内側に前記係止部を含めて収容されるようになされており、しかも、前記スリーブと異なる着色がなされていることを特徴とする。
【０００９】
かかる構成から、スリーブを後退させる場合、ストッパを弾性体の弾発力に抗して押圧して縮径させることにより、ストッパは後退するスリーブの内側に収容可能となり、これによりスリーブの後退が可能となってストッパは後退したスリーブの内側に収容される。ソケットとプラグとの接続時に、スリーブが前進すると、スリーブから解放されたストッパは弾性体の弾発力により拡径し、スリーブが後退しようとしたときその後端にストッパの係止部の先端が係止するので、スリーブは前進位置にロックされ後退が阻止される。
【００１０】
ソケットとプラグとを分離する場合は、前記ストッパを弾性体の弾発力に抗して、再びスリーブの内側に収容可能な位置まで縮径させることにより、スリーブを後退させることにより行える。前記スリーブがロックされた状態にあるか否かは、ストッパがスリーブの内側に収容された状態にあるか否かといったことを確認することにより行えるものであって、この確認は目視により容易に行える。また、ストッパはスリーブの後退時にスリーブの内側に収容されるので、ストッパの存在がソケット本体の長さを長くする原因にはならない。
【００１１】
また、前記ストッパはバネを併設した拡径縮径可能な略Ｃ状の弾性体により構成したから、バネによりバネ性が補強され、弾性体のバネ性が長期間に渡り保持できる。
【００１２】
また、前記ストッパは前記スリーブと異なる着色がなされているので、前記スリーブがロックされた状態にあるか否かについての確認のためのストッパの目視が容易に行える。
【００１４】
【発明の実施の形態】
図は、本発明に係る管継手における実施の形態の一例を示すものであり、同図において、１はソケット、２は筒状のソケット本体、３はソケット本体２とともにソケット１を構成する筒状のアダプタである。前記ソケット本体２は、前部が小径部４、後部が大径部５となっており、小径部４の先端部には周方向に複数の孔６が形成され、この孔６には施錠子７が出没自在に嵌合している。この施錠子７にあっては、本例ではロック爪が使用されているが、これに限定されるものではなく、ロックボールまたはピンであってもよい。
【００１５】
８はソケット本体２の先端側内周に摺動自在に嵌合し、前記施錠子７がソケット本体２の内周に突出しないように支えるカラーであり、このカラー８はスプリング９により先端方向に付勢されており、プラグの接続時に、プラグに押されてスプリング９の弾発力に抗して後退し、前記施錠子７から外れ、ソケット本体２内への施錠子７の突出を可能にするようになっている。
【００１６】
１０はソケット本体２の外周に摺動自在に嵌合し、施錠子７の遠心方向への移動を抑止、解除するスリーブである。このスリーブ１０は、前側に前記ソケット本体２の小径部４に嵌合する小径内周筒部１１を有し後側にソケット本体２の大径部５に嵌合する大径内周筒部１２を有しており、小径内周筒部１１の内周面が前記施錠子７を求心方向に押圧する施錠子抑止面１３となっている。また、小径内周筒部１１の先端側には、前記施錠子７の抑止を解除する凹部１４が形成され、その側壁はスリーブ１０の前進（先端方向への移動）時に施錠子７を求心方向に押圧移動させる傾斜面１５となっている。
【００１７】
１６はスリーブ１０の小径内周筒部１１の段部とソケット本体２の大径部５の段部との間に介装され、スリーブ１０を前進方向に付勢するスプリング、１７はスプリング１６に付勢されて前進したスリーブ１０に係止し、スリーブ１０を、その施錠子抑止面１３が施錠子７を抑止する位置に位置させる規制部である。
【００１８】
１８は前記ソケット本体２の大径部５の外周に形成された環状溝であり、この環状溝１８は、前記スリーブ１０が後退位置にあるとき、ほとんどスリーブ１０内に位置し、スリーブ１０が前進位置にあるとき、環状溝１８の軸方向概ね半分の部分が露出するように形成されている。
【００１９】
２６はストッパであり、このストッパ２６は金属製板バネ２７を併設した合成樹脂製からなる拡径縮径可能な略Ｃ状の弾性体１９の外周に係止部２０を突出して設けた構成となっており、前記環状溝１８の溝巾と概ね同一の巾に形成され、前記環状溝１８内に拡径縮径自在に嵌合している。前記弾性体１９に併設される金属製板バネ２７にあっては図に示されるような板状に限られるものではなく、線状であってもよい。前記係止部２０は、前記スリーブ１０が前進位置にあるとき、露出する環状溝１８の露出部の巾に応じた巾をもって、弾性体１９の後端側外周面に突出して形成されている。また、係止部２０は、本例では対称位置に２カ所設けられているが、これに限定されるものではなく、弾性体１９の全周に渡って設けられていてもよい。
【００２０】
また、ストッパ２６における弾性体１９に係止部２０を設けた部分の厚さは、環状溝１８の溝の深さとの関係において、弾性体１９をその弾発力に抗して縮径させ、弾性体１９、係止部２０を縮径させたとき、前記スリーブ１０の大径内周筒部１２内に収まる厚さに設定されている。また、弾性体１９はその弾発力により拡径状態にあるときは、弾性体１９の外径がスリーブ１０の大径内周筒部１２の径より大径となるように設定されている。本例では、スリーブ１０の大径内周筒部１２の内周面後端側に、弾性体１９をその弾発力に抗して縮径させた状態で係止部２０を収容する収容凹部２１が形成されている。
【００２１】
２２はプラグ、２３はプラグ２２の外周に形成された係合溝である。２４はソケット１に挿入したプラグ２２の外周面に圧接してシールするＯリング、２５はプラグ２２の先端に圧接してシールするパッキンである。
【００２２】
次に上記のように構成された本例の作用を説明する。
先ず、ソケット１とプラグ２２とを接続するに際して、ソケット１のスリーブ１０を後退した状態に置く。この状態は、次のようにしてなされる。ストッパ２６を構成する係止部２０を設けた弾性体１９を求心方向に押圧して縮径させ、スリーブ１０をスプリング１６の弾発力に抗して後退させる。このスリーブ１０の後退によりストッパ２６はスリーブ１０の大径内周筒部１２の内側に収容され、そして、ソケット本体２の先端部の施錠子７は、スリーブ１０の施錠子抑止面１３から解放された状態となり、スプリング９の付勢により前進するカラー８により下部が支えられ、上部がソケット本体２の外周に突出し、スリーブ１０の凹部１４に入る。これにより、前記後退しているスリーブ１０の傾斜面１５が凹部１４に入っている施錠子７に係止し、これによりスリーブ１０の前進が阻止され、後退した状態に保持される（図１）。
【００２３】
このとき、弾性体１９はスリーブ１０の内周面により縮径方向への応力を受けるが、併設した金属製板バネ２７により弾性体１９のバネ性が補強され、弾性体１９のバネ性が長期間に渡り保持できる。
【００２４】
このようにしてスリーブ１０を後退した状態においたソケット１にプラグ２２を挿入すると、挿入したプラグ２２によりカラー８が後退して施錠子７の支えを解き、挿入したプラグ２２の外周に形成した係合溝２３が施錠子７と一致したとき、スリーブ１０の傾斜面１５により求心方向に押圧を受けている施錠子７は求心方向に移動しその下部がソケット１内に突出してプラグ２２の係合溝２３に係合する。これにより、傾斜面１５と施錠子７との係止状態が解かれたスリーブ１０は圧縮されたスプリング１６の弾発力により前進し、施錠子抑止面１３が前記施錠子７を抑止して係合溝２３からの離脱を阻止し、ソケット１とプラグ２２とが接続される。
【００２５】
このとき、前記スリーブ１０の前進により、後退していたスリーブ１０内に収容されていたストッパ２６がスリーブ１０の抑止から解かれ、弾性体１９の弾発力により拡径し、係止部２０がスリーブ１０の後端に係止してスリーブ１０の後退を阻止する（図３）。
【００２６】
また、前記ストッパ２６がスリーブ１０から解放された瞬間に、弾発力により拡径した弾性体１９の前端側外周面がスリーブ１０の内周面に打ち当たり、音を発生する。この音により、係止部２０がスリーブ１０の後端に係止してスリーブ１０の後退を阻止する状態になったことを確認できる。更に、前記金属製板バネ２７によって弾性体１９の拡径方向への強い張り出しが得られることから、弾性体１９がスリーブ１０に密着し、係止部２０によるスリーブ１０の後退阻止が確実に保持される。
【００２７】
このようにして接続されたソケット１とプラグ２２とを分離する場合は、スリーブ１０の後端に係止している係止部２０を弾性体１９の弾発力に抗して求心方向に押圧して弾性体１９を縮径させることにより、係止部２０をスリーブ１０の大径内周筒部１２内に収容可能な位置まで移動させ、スリーブ１０を後退させる。これにより施錠子７はスリーブ１０の施錠子抑止面１３から解放され、ソケット１からプラグ２２を抜き取ることができ、ソケット１は図１に示す状態になる。
【００２８】
【発明の効果】
以上のように本発明に係る管継手によれば、スリーブを前進させ、ソケットとプラグとを接続したとき、ストッパが自動的に拡径して、スリーブの後端に係止し、スリーブをロックするので、ソケットとプラグの接続後のスリーブのロック操作忘れの心配が無く、操作性に優れており、またスリーブが後退位置にあるときストッパはスリーブの内側に収容され、そしてスリーブが前進位置にあるとき、ストッパがスリーブ外にあり且つスリーブと異なる着色がなされているので、スリーブがロックされた状態にあるか否かをストッパを目視するといった簡単な手段により、容易に且つ確実に確認することができる。更には、前記ストッパはソケット本体に求遠心方向にのみ拡径縮径可能に設けられ、スリーブの後退時にはスリーブ内に収容されるので、ストッパの存在がソケットの長さを長くする原因にはならず、コンパクトな管継手を得ることができる。
【図面の簡単な説明】
【図１】本発明に係る管継手の実施の形態の一例を示す一部縦断側面図。
【図２】図１に示す実施の形態で用いているストッパを示す拡大斜視図。
【図３】図１に示すソケットとプラグとを接続した状態を示す一部縦断側面図。
【符号の説明】
１            ソケット
２            ソケット本体
３            アダプタ
４            小径部
５            大径部
６            孔
７            施錠子
８            カラー
９            スプリング
１０          スリーブ
１１          小径内周筒部
１２          大径内周筒部
１３          施錠子抑止面
１４          凹部
１５          傾斜面
１６          スプリング
１７          規制部
１８          環状溝
１９          弾性体
２０          係止部
２１          収容凹部
２２          プラグ
２３          係合溝
２４          Ｏリング
２５          パッキン
２６          ストッパ
２７          金属製板バネ
【図１】
0004098384.tif 000002
【図２】
0004098384.tif 000003
【図３】
0004098384.tif 000004